(57)【特許請求の範囲】
【請求項１】
ナビゲーション装置に対して装脱自在に配設され、第１の識別情報が記録される外部記録手段と、前記ナビゲーション装置に内蔵され、第２の識別情報が記録される内部記録手段と、入力情報を入力するための入力手段と、前記第１、第２の識別情報が一致しているかどうかによって第１の起動条件が成立するかどうかを判断する第１の起動条件成立判断処理手段と、前記第２の識別情報と入力情報とが一致しているかどうかによって第２の起動条件が成立するかどうかを判断する第２の起動条件成立判断処理手段と、前記第１、第２の起動条件のうちの一方が成立する場合にナビゲーション装置を起動する起動処理手段と、前記外部記録手段がナビゲーション装置に装着されていないときに、操作者に対して前記入力情報の入力を促す手段とを有することを特徴とするナビゲーション制御装置。
【請求項２】
前記第１、第２の識別情報が一致しない場合に、操作者に対して入力情報の入力を促す手段を有する請求項１に記載のナビゲーション制御装置。
【請求項３】
前記第２の識別情報は、複数の外部記録手段に対応させて複数設定され、前記第１の起動条件成立判断処理手段は、前記第１の識別情報と、各第２の識別情報のうちの一つとが一致しているかどうかによって第１の起動条件が成立するかどうかを判断し、前記第２の起動条件成立判断処理手段は、前記入力情報と、各第２の識別情報のうちの一つとが一致しているかどうかによって第２の起動条件が成立するかどうかを判断する請求項１又は２に記載のナビゲーション制御装置。
【請求項４】
前記外部記録手段には、第１の識別情報のほかに、ナビゲーション装置に関する付加情報が記録されるとともに、前記第１の起動条件が成立したときに、前記付加情報を前記外部記録手段から読み出し、ナビゲーション装置の所定の記録手段に記録する付加情報記録処理手段を有する請求項１に記載のナビゲーション制御装置。
【請求項５】
ナビゲーション装置に対して装脱自在に配設された外部記録手段に記録された第１の識別情報と、前記ナビゲーション装置に内蔵された内部記録手段に記録された第２の識別情報とが一致しているかどうかによって第１の起動条件が成立するかどうかを判断し、前記第２の識別情報と、入力手段によって入力された入力情報とが一致しているかどうかによって第２の起動条件が成立するかどうかを判断し、前記第１、第２の起動条件のうちの一方が成立する場合にナビゲーション装置を起動し、前記外部記録手段がナビゲーション装置に装着されていないときに、操作者に対して前記入力情報の入力を促すことを特徴とするナビゲーション制御方法。
【請求項６】
制御装置を、ナビゲーション装置に対して装脱自在に配設された外部記録手段に記録された第１の識別情報と、前記ナビゲーション装置に内蔵された内部記録手段に記録された第２の識別情報とが一致しているかどうかによって第１の起動条件が成立するかどうかを判断する第１の起動条件成立判断処理手段、前記第２の識別情報と、入力手段によって入力された入力情報とが一致しているかどうかによって第２の起動条件が成立するかどうかを判断する第２の起動条件成立判断処理手段、前記第１、第２の起動条件のうちの一方が成立する場合にナビゲーション装置を起動する起動処理手段、及び前記外部記録手段がナビゲーション装置に装着されていないときに、操作者に対して前記入力情報の入力を促す手段として機能させるためのプログラムを記録した制御装置による読取可能な記録媒体。
【発明の詳細な説明】
【０００１】
【発明の属する技術分野】
本発明は、ナビゲーション制御装置、ナビゲーション制御方法及びプログラムを記録した記録媒体に関するものである。
【０００２】
【従来の技術】
従来、ナビゲーション装置においては、現在位置検出部によって検出された車両の現在の位置、すなわち、現在位置を、情報記録部から読み出した周辺の地図情報と共にディスプレイに表示することができるようになっていて、操作者によって目的地が設定されると、現在位置から目的地までの経路が探索され、探索された経路に基づいて経路案内が行われる。
【０００３】
ところで、前記目的地は、前記ディスプレイに形成された入力画面を操作することによって所定の手順で設定されるようになっているが、通常は、同じ目的地が設定されることが多い。そこで、前記目的地を、例えば、フラッシュメモリにメモリ地点として記録することによって登録しておき、必要に応じて操作者が所定のメモリ地点を前記フラシュメモリから読み出して設定することができるようになっている。
【０００４】
【発明が解決しようとする課題】
しかしながら、前記従来のナビゲーション装置においては、前記フラッシュメモリに記録された目的地等の個人情報が容易に読み出されて悪用されることがあり、セキュリティ機能が低い。
【０００５】
本発明は、前記従来のナビゲーション装置の問題点を解決して、ナビゲーション装置のセキュリティ機能を高くすることができるナビゲーション制御装置、ナビゲーション制御方法及びプログラムを記録した記録媒体を提供することを目的とする。
【０００６】
【課題を解決するための手段】
そのために、本発明のナビゲーション制御装置においては、ナビゲーション装置に対して装脱自在に配設され、第１の識別情報が記録される外部記録手段と、前記ナビゲーション装置に内蔵され、第２の識別情報が記録される内部記録手段と、入力情報を入力するための入力手段と、前記第１、第２の識別情報が一致しているかどうかによって第１の起動条件が成立するかどうかを判断する第１の起動条件成立判断処理手段と、前記第２の識別情報と入力情報とが一致しているかどうかによって第２の起動条件が成立するかどうかを判断する第２の起動条件成立判断処理手段と、前記第１、第２の起動条件のうちの一方が成立する場合にナビゲーション装置を起動する起動処理手段と、前記外部記録手段がナビゲーション装置に装着されていないときに、操作者に対して前記入力情報の入力を促す手段とを有する。
【０００９】
本発明のナビゲーション制御方法においては、ナビゲーション装置に対して装脱自在に配設された外部記録手段に記録された第１の識別情報と、前記ナビゲーション装置に内蔵された内部記録手段に記録された第２の識別情報とが一致しているかどうかによって第１の起動条件が成立するかどうかを判断し、前記第２の識別情報と、入力手段によって入力された入力情報とが一致しているかどうかによって第２の起動条件が成立するかどうかを判断し、前記第１、第２の起動条件のうちの一方が成立する場合にナビゲーション装置を起動し、前記外部記録手段がナビゲーション装置に装着されていないときに、操作者に対して前記入力情報の入力を促す。
【００１０】
本発明の記録媒体においては、制御装置を、ナビゲーション装置に対して装脱自在に配設された外部記録手段に記録された第１の識別情報と、前記ナビゲーション装置に内蔵された内部記録手段に記録された第２の識別情報とが一致しているかどうかによって第１の起動条件が成立するかどうかを判断する第１の起動条件成立判断処理手段、前記第２の識別情報と、入力手段によって入力された入力情報とが一致しているかどうかによって第２の起動条件が成立するかどうかを判断する第２の起動条件成立判断処理手段、前記第１、第２の起動条件のうちの一方が成立する場合にナビゲーション装置を起動する起動処理手段、及び前記外部記録手段がナビゲーション装置に装着されていないときに、操作者に対して前記入力情報の入力を促す手段として機能させるためのプログラムが記録される。
【００１１】
【発明の実施の形態】
以下、本発明の実施の形態について図面を参照しながら詳細に説明する。
【００１２】
図１は本発明の実施の形態におけるナビゲーション制御装置の機能ブロック図である。
【００１３】
図において、３１は、ナビゲーション装置に対して装脱自在に配設され、第１の識別情報が記録される外部記録手段としてのメモリカード、２４は、前記ナビゲーション装置に内蔵され、第２の識別情報が記録される内部記録手段としてのフラッシュメモリ、１５は入力情報を入力するための入力手段としての入出力部、９１は前記第１、第２の識別情報が一致しているかどうかによって第１の起動条件が成立するかどうかを判断する第１の起動条件成立判断処理手段、９２は前記第２の識別情報と入力情報とが一致しているかどうかによって第２の起動条件が成立するかどうかを判断する第２の起動条件成立判断処理手段、９３は、前記第１、第２の起動条件のうちの一方が成立する場合にナビゲーション装置を起動する起動処理手段である。
【００１４】
図２は本発明の実施の形態におけるナビゲーション装置の制御ブロック図である。
【００１５】
図において、１１はナビゲーション装置、１２は経路探索処理、経路案内処理、表示処理等を行うとともに、ナビゲーション装置１１の全体の制御を行うＣＰＵ、１３はバス、１４はＩ／Ｏポートであり、前記ＣＰＵ１２はバス１３及びＩ／Ｏポート１４を介して入力手段及び出力手段としての入出力部１５、カードインターフェース（カードＩ／Ｆ）１６及び音声出力部１７に接続される。また、前記ＣＰＵ１２は、バス１３を介して現在位置を検出する現在位置検出手段としての現在位置検出部２１に接続されるとともに、いずれも記録媒体としてのＲＡＭ２２、ＲＯＭ２３、内部記録手段としてのフラッシュメモリ２４、情報記録部２５等に接続される。前記ＲＯＭ２３にナビゲーション装置１１の制御を行うための各種の制御プログラムが記録される。なお、前記ＲＡＭ２２、ＲＯＭ２３、フラッシュメモリ２４、情報記録部２５等は、図示されない磁気コア、半導体メモリ、磁気テープ、磁気ディスク、フロッピーディスク、磁気ドラム、ＣＤ、ＭＤ、ＤＶＤ、光ディスク、ＩＣカード、光カード等によって構成される。
【００１６】
前記入出力部１５は、白黒ＣＲＴ、白黒液晶表示器、カラーＣＲＴ、カラー液晶表示器等から成る図示されないディスプレイを備え、該ディスプレイに、オープニング画面、ＰＬ画面、暗証番号認識画面、暗証番号設定・編集画面等の初期画面、操作者が操作することによって目的地を設定したり各種の情報を入力したりするためのメニュー画面、経路設定画面等の入力画面、及び地図画面、経路案内画面、区間図画面、交差点図画面等の出力画面が形成される。そのために、前記ディスプレイはタッチパネルから成り、前記入力画面には、各種の入力用のキーが表示され、前記出力画面には、現在位置、該現在位置の周辺の地図（以下「周辺地図」という。）、現在位置から目的地までの探索された経路（以下「探索経路」という。）、該探索経路の区間、交差点等が表示される。したがって、入力画面のキーを操作することによって、目的地をジャンル、住所、電話番号、メモリ地点、地図上の座標等で入力したり、入力情報としての暗証番号Ｎｉを入力することができる。なお、前記入出力部１５に代えて、入力部と出力部とを分離させて配設することもできる。その場合、入力部には、カーソル用の摘（つま）み、入力キー、操作スイッチ等が配設される。
【００１７】
また、前記カードインターフェース１６には図示されないカード読取装置が接続され、該カード読取装置に対して外部記録手段としてのメモリキー等の図示されないメモリカードが装脱自在に配設されるようになっている。さらに、メモリキーのほかに、メモリカードとしてＩＣカード、磁気カード等を使用することもできる。
【００１８】
また、現在位置検出部２１は、衛星航法システム（ＧＰＳ）を利用した図示されないＧＰＳ受信装置、ビーコン受信装置、地磁気センサ等によって形成された絶対方位を検出する絶対方位センサ、車輪センサ、ステアリングセンサ、ジャイロ等によって形成された相対方位を検出する相対方位センサ、車輪の回転数に基づいて走行距離を検出する距離センサ等を備える。
【００１９】
そして、前記フラッシュメモリ２４には、第２の識別情報としての暗証番号Ｎｆが記録される。また、フラッシュメモリ２４には、ナビゲーション装置１１の操作者によってあらかじめ登録されたメモリ地点、ナビゲーション装置１１の操作者によってあらかじめ設定された画面の表示方法、例えば、二次元画面表示法、三次元画面表示法等が付加情報として記録される。
【００２０】
そして、情報記録部２５には、経路を探索したり案内したりするために必要なデータ、すなわち、ナビゲーションデータとして、地図データ、交差点データ、写真データ、登録地点データ、案内地点データ、目的地データ、電話番号データ、住所データ、都市選択データ、ストリート選択データ等が記録され、それぞれデータベースを形成する。
【００２１】
本実施の形態においては、前記ＲＯＭ２３にナビゲーション装置１１の制御を行うための各種の制御プログラムが記録され、前記情報記録部２５にナビゲーションデータが記録されるようになっているが、前記制御プログラム及びナビゲーションデータを一つの記録媒体に記録することもできる。この場合、例えば、該記録媒体から前記制御プログラム及びナビゲーションデータを読み出してフラッシュメモリ２４に書き込むことができ、記録媒体を交換することによって前記制御プログラム及びナビゲーションデータを更新することができる。
【００２２】
なお、前記ＣＰＵ１２、入出力部１５、フラッシュメモリ２４、メモリカード等によってナビゲーション制御装置が構成される。
【００２３】
次に、前記構成のナビゲーション装置１１の動作について説明する。
【００２４】
図３は本実施の形態におけるナビゲーション制御装置の動作を示すメインフローチャートである。
【００２５】
まず、ＣＰＵ１２（図２）の図示されない起動準備処理手段は、起動準備処理を行い、前記ディスプレイにオープニング画面を形成し、その後、ナビゲーション装置１１を使用する際の注意事項を知らせるＰＬ画面を形成する。続いて、前記ＣＰＵ１２の図示されない暗証番号認識処理手段は、暗証番号認識処理を行い、ナビゲーション装置１１を選択的に起動する。
【００２６】
続いて、前記ＣＰＵ１２は、暗証番号設定・編集処理が指示されたかどうかを判断し、暗証番号設定・編集処理が指示された場合、ＣＰＵ１２の図示されない暗証番号設定・編集処理手段は、暗証番号設定・編集処理を行う。前記フラッシュメモリ２４に暗証番号Ｎｆ、及び前記メモリカードに第１の識別情報としての暗証番号Ｎｍが記録されていない場合、前記暗証番号設定・編集処理手段はフラッシュメモリ２４に暗証番号Ｎｆ、Ｎｍを記録したり、既に暗証番号Ｎｆ、Ｎｍが記録されている場合、前記暗証番号設定・編集処理手段は暗証番号Ｎｆ、Ｎｍを編集して修正したり、消去したりする。
【００２７】
次に、ナビゲーション装置１１が起動されると、前記ＣＰＵ１２の図示されない現在位置検出手段は、現在位置検出処理を行い、現在位置検出部２１によって現在位置を検出する。そして、操作者が、図示されないメニューキーを押し、それに伴ってディスプレイに形成されたメニュー画面において目的地選択キーを押すと、前記ＣＰＵ１２の図示されない目的地設定手段は目的地設定処理を行う。この場合、操作者による所定の項目の選択に従って目的地が選択され、選択された目的地がディスプレイに形成された経路設定画面に表示される。そして、操作者が目的地を確認し、前記経路設定画面上の所定の確認キーを押すと、目的地の設定が終了する。
【００２８】
続いて、前記ＣＰＵ１２の図示されない経路探索処理手段は、経路探索処理を行い、現在位置から目的地までの経路を探索し、経路が探索されると、前記ＣＰＵ１２の図示されない案内・表示処理手段は、案内・表示処理を行い、前記経路案内画面に探索経路を表示するとともに、音声出力部１７によって、探索経路を案内する。なお、前記経路案内画面には、探索経路のほかに、現在位置、周辺地図、前記探索経路の区間、交差点等が表示される。
【００２９】
次に、フローチャートについて説明する。
ステップＳ１  起動準備処理を行う。
ステップＳ２  暗証番号認識処理を行う。
ステップＳ３  暗証番号設定・編集処理が指示されたかどうかを判断する。暗証番号設定・編集処理が指示された場合はステップＳ４に、指示されていない場合はステップＳ５に進む。
ステップＳ４  暗証番号設定・編集処理を行う。
ステップＳ５  現在位置検出処理を行う。
ステップＳ６  目的地設定処理を行う。
ステップＳ７  経路探索処理を行う。
ステップＳ８  案内・表示処理を行い、処理を終了する。
【００３０】
次に、図３のステップＳ２における暗証番号認識処理のサブルーチンについて説明する。
【００３１】
図４は本発明の実施の形態における暗証番号認識処理のサブルーチンを示す図、図５は本発明の実施の形態におけるナビゲーション装置の斜視図、図６は本発明の実施の形態におけるメモリカードの平面図、図７は本発明の実施の形態における暗証番号認識処理の暗証番号入力指示画面を示す図、図８は本発明の実施の形態における暗証番号認識処理の暗証番号再入力指示画面を示す図である。
【００３２】
まず、前記暗証番号認識処理手段は、フラッシュメモリ２４（図１）から暗証番号Ｎｆを読み出すことができるかどうか判断する。ところで、該フラッシュメモリ２４には、前記暗証番号設定・編集処理において、あらかじめ設定された、又は編集によって変更された暗証番号Ｎｆが記録されるようになっている。したがって、あらかじめ設定された、又は編集によって変更された暗証番号Ｎｆが記録されている場合は、フラッシュメモリ２４から暗証番号Ｎｆを読み出すことができ、暗証番号Ｎｆが記録されていない場合は、フラッシュメモリ２４から暗証番号Ｎｆを読み出すことができない。
【００３３】
そして、フラッシュメモリ２４から暗証番号Ｎｆが読み出すことができない場合、前記ＣＰＵ１２の起動処理手段９３は、起動停止信号をオフにし、ナビゲーション装置１１を起動し、暗証番号認識処理を終了する。
【００３４】
また、フラッシュメモリ２４から暗証番号Ｎｆが読み出すことができる場合、前記暗証番号認識処理手段は、図５に示される装着手段としてのメモリカード装着口３２に図６に示されるメモリカード３３が装着されているかどうかを判断する。前記メモリカード装着口３２はナビゲーション装置１１における前面パネル３０の所定の箇所に形成される。なお、図５において、３１は情報記録部２５を構成する記録媒体としてのＣＤを装着するための装着口である。また、図６に示されるメモリカード３３はメモリスティックによって構成される。
【００３５】
そして、メモリカード装着口３２にメモリカード３３が装着されていない場合、前記暗証番号認識処理手段は、前記ディスプレイに暗証番号認識画面のうちの、図７に示される暗証番号入力指示画面Ｄ１を形成し、該暗証番号入力指示画面Ｄ１にメモリカード３３の装着又は暗証番号Ｎｉの入力を促す旨の表示を行う。なお、実際の前記暗証番号入力指示画面Ｄ１には、「暗証番号を入力してください」のメーセッジが表示され、操作者はメモリカード装着口３２にメモリカード３３を装着するか、又は暗証番号Ｎｉを入力する。そして、前記暗証番号入力指示画面Ｄ１には、暗証番号入力領域ＡＲ１及び入力キー領域ＡＲ２が形成され、前記暗証番号入力領域ＡＲ１における「＊」は暗証番号の桁（けた）を表す。また、入力キー領域ＡＲ２に、暗証番号Ｎｉを入力するための「０」〜「９」のテンキー、入力に誤りがあったときに訂正を行うための「後退」キー、及び入力を終了するための「入力」キーが表示される。
【００３６】
そして、メモリカード装着口３２にメモリカード３３が装着されている場合、及びメモリカード３３の装着又は暗証番号Ｎｉの入力を促す旨の表示が行われることによって、メモリカード装着口３２にメモリカード３３が装着された場合、前記暗証番号認識処理手段は、メモリカード３３からあらかじめ記録された暗証番号Ｎｍを読み出す。該暗証番号Ｎｍと前記暗証番号Ｎｆとは互いに対応させて設定され、ナビゲーション装置１１及びメモリカード３３の正常な使用態様においては、一致させられる。
【００３７】
続いて、前記暗証番号認識処理手段の第１の起動条件成立判断処理手段９１は、第１の起動条件成立判断処理を行い、前記暗証番号Ｎｆ、Ｎｍに基づいて第１の起動条件が成立するかどうかを判断する。この場合、第１の起動条件が成立するかどうかは、メモリカード装着口３２にメモリカード３３が装着された状態において、暗証番号Ｎｆ、Ｎｍが一致しているかどうかによって判断される。そして、暗証番号Ｎｆ、Ｎｍが一致していて、第１の起動条件が成立する場合、ＣＰＵ１２の図示されない付加情報記録処理手段は、付加情報記録処理を行い、メモリカード３３からメモリ地点、画面の表示方法等の付加情報を読み出し、ナビゲーション装置１１の所定の記録手段、例えば、フラッシュメモリ２４に記録する。したがって、操作者は、ナビゲーション装置１１を新しいものに交換した場合等に、メモリカード３３に記録されたメモリ地点、画面の表示方法等の付加情報を、新たに設定することなく、フラッシュメモリ２４に複写することができる。
【００３８】
続いて、前記起動処理手段９３は、起動停止信号をオフにし、ナビゲーション装置１１を起動し、暗証番号認識処理を終了する。
【００３９】
また、暗証番号Ｎｆ、Ｎｍが一致しておらず、第１の起動条件が成立しない場合、前記暗証番号認識処理手段は、適正なメモリカード３３が装着されていないと判断し、前記ディスプレイに再び前記暗証番号入力指示画面Ｄ１を形成し、該暗証番号入力指示画面Ｄ１にメモリカード３３の装着又は暗証番号Ｎｉの入力を促す旨の表示を行う。
【００４０】
続いて、前記暗証番号認識処理手段は、再び、メモリカード装着口３２にメモリカード３３が装着されているかどうかを判断し、メモリカード３３が装着されている場合、メモリカード３３から暗証番号Ｎｍを読み出し、暗証番号Ｎｆ、Ｎｍが一致しているかどうかを判断する。
【００４１】
また、メモリカード装着口３２にメモリカード３３が装着されていない場合、前記暗証番号認識処理手段は、暗証番号Ｎｉが入力されるのを待機し、暗証番号Ｎｉが入力されると、前記暗証番号認識処理手段の第２の起動条件成立判断処理手段９２は、第２の起動条件成立判断処理を行い、前記暗証番号Ｎｆ及び暗証番号Ｎｉに基づいて第２の起動条件が成立するかどうかを判断する。この場合、第２の起動条件が成立するかどうかは、メモリカード装着口３２にメモリカード３３が装着されていない状態において、暗証番号Ｎｆ、Ｎｉが一致しているかどうかによって判断される。そして、暗証番号Ｎｆ、Ｎｉが一致していて、第２の起動条件が成立する場合、前記起動処理手段９３は、前記起動停止信号をオフにし、ナビゲーション装置１１を起動し、暗証番号認識処理を終了する。なお、前記該暗証番号Ｎｆと前記暗証番号Ｎｉとは互いに対応させて設定され、ナビゲーション装置１１の正常な使用態様においては、一致させられる。
【００４２】
また、暗証番号Ｎｆ、Ｎｉが一致しておらず、第２の起動条件が成立しない場合、前記暗証番号認識処理手段は、入力された暗証番号Ｎｉが正しくないと判断し、前記ディスプレイに暗証番号認識画面のうちの、図８に示される暗証番号再入力指示画面Ｄ２を形成し、該暗証番号再入力指示画面Ｄ２に、前記暗証番号入力指示画面Ｄ１の表示に上書きして、指示領域ＡＲ３に「暗証番号が違います」のメッセージを表示する。
【００４３】
そして、前記起動処理手段９３は、前記起動停止信号をオンにし、ナビゲーション装置１１の起動を停止させる。そして、前記ＣＰＵ１２の図示されないアラーム処理手段は、アラーム処理を行い、図示されない車両制御装置から、車両が走行させられているかどうかを表す車両走行信号を読み込み、前記起動停止信号がオンになった状態で車両が走行させられているかどうかを判断し、起動停止信号がオンになった状態で車両が走行させられている場合、音声出力部１７によって警告音を発生させる。なお、前記車両走行信号としては、車速を表す信号、自動変速機において走行レンジが選択されたことを表す信号、アクセル開度を表す信号等を使用することができる。
【００４４】
このように、前記起動処理手段９３は、第１、第２の起動条件のうちの一方が成立し、暗証番号Ｎｆ、Ｎｍが一致しているか、又は暗証番号Ｎｆ、Ｎｉが一致している場合、起動停止信号をオフにし、ナビゲーション装置１１を起動する。そして、第１、第２の起動条件がいずれも成立せず、暗証番号Ｎｆ、Ｎｍが一致しておらず、また、暗証番号Ｎｆ、Ｎｉが一致していない場合、起動停止信号をオンにし、ナビゲーション装置１１の起動を停止させる。
【００４５】
すなわち、メモリカード装着口３２にメモリカード３３が装着されず、しかも、暗証番号Ｎｉが正確に入力されない場合、ナビゲーション装置は起動されない。また、メモリカード装着口３２にメモリカード３３が装着されても、暗証番号Ｎｆ、Ｎｍが一致しない場合も、ナビゲーション装置は起動されず、ステップＳ２−７以降の各処理が開始されない。したがって、前記フラッシュメモリ２４に記録された目的地等の個人情報が容易に読み出されて悪用されることがなくなるので、セキュリティ機能を高くすることができる。
【００４６】
また、メモリカード装着口３２にメモリカード３３が装着されず、しかも、暗証番号Ｎｉが正確に入力されないまま車両が走行させられたり、メモリカード装着口３２にメモリカード３３が装着されても、暗証番号Ｎｆ、Ｎｍが一致しないまま車両が走行させられたりすると、警告音が発生させられるので、車両が盗難にあうのを防止することができる。
【００４７】
さらに、メモリカード装着口３２にメモリカード３３が装着されない場合、暗証番号入力指示画面Ｄ１に暗証番号Ｎｉの入力を促す旨の表示が行われるので、暗証番号Ｎｉを入力することによって、ナビゲーション装置を起動し、ステップＳ５以降の各処理を開始することができる。したがって、メモリカード３３を破損したり、紛失したりしたときに、メモリカード装着口３２にメモリカード３３を装着することなく、ナビゲーション装置１１を起動することができる。
【００４８】
次に、フローチャートについて説明する。
ステップＳ２−１  フラッシュメモリ２４から暗証番号Ｎｆを読み出すことができるかどうか判断する。フラッシュメモリ２４から暗証番号Ｎｆを読み出すことができる場合はステップＳ２−２に、できない場合はステップＳ２−９に進む。ステップＳ２−２  メモリカード装着口３２にメモリカード３３が装着されているかどうかを判断する。メモリカード装着口３２にメモリカード３３が装着されている場合はステップＳ２−５に、装着されていない場合はステップＳ２−３に進む。
ステップＳ２−３  メモリカード３３の装着又は暗証番号Ｎｉの入力を促す旨の表示を行う。
ステップＳ２−４  メモリカード装着口３２にメモリカード３３が装着されたかどうかを判断する。メモリカード装着口３２にメモリカード３３が装着された場合はステップＳ２−５に、装着されていない場合はステップＳ２−８に進む。
ステップＳ２−５  メモリカード３３から暗証番号Ｎｍを読み出す。
ステップＳ２−６  暗証番号Ｎｆ、Ｎｍが一致しているかどうかを判断する。暗証番号Ｎｆ、Ｎｍが一致している場合はステップＳ２−７に進み、一致していない場合はステップＳ２−８に戻る。
ステップＳ２−７  付加情報記録処理を行う。
ステップＳ２−８  暗証番号Ｎｆ、Ｎｉが一致しているかどうかを判断する。暗証番号Ｎｆ、Ｎｉが一致している場合はステップＳ２−９に、一致していない場合はステップＳ２−１０に進む。
ステップＳ２−９  ナビゲーション装置１１を起動し、処理を終了する。
ステップＳ２−１０  ナビゲーション装置１１の起動を停止する。
ステップＳ２−１１  アラーム処理を行い、ステップＳ２−２に戻る。
【００４９】
次に、図３のステップＳ４における暗証番号設定・編集処理のサブルーチンについて説明する。
【００５０】
図９は本発明の実施の形態における暗証番号設定・編集処理のサブルーチンを示す図、図１０は本発明の実施の形態における暗証番号設定・編集処理の入力キー押下指示画面を示す図、図１１は本発明の実施の形態における暗証番号設定・編集処理の暗証番号確認指示画面を示す図、図１２は本発明の実施の形態における暗証番号設定・編集処理の暗証番号再入力指示画面を示す図、図１３は本発明の実施の形態における暗証番号設定・編集処理の消去キー押下指示画面を示す図である。
【００５１】
この場合、ＣＰＵ１２の図示されない暗証番号設定・編集処理手段は、メモリカード装着口３２にメモリカード３３が装着されるのを待機し、メモリカード３３が装着されると、暗証番号Ｎｉの入力が１回目であるかどうかを判断する。そして、暗証番号Ｎｉの入力が１回目である場合、前記暗証番号設定・編集処理手段は、操作者に暗証番号Ｎｉの入力を促し、暗証番号Ｎｉを構成する各数字のうちの操作者によって入力された数字の個数、すなわち、入力桁数が１以上であるかどうかを判断し、入力桁数が１以上である場合、前記暗証番号設定・編集処理手段は、ディスプレイに前記暗証番号設定・編集画面のうちの、図１０に示される入力キー押下指示画面Ｄ３を形成し、該入力キー押下指示画面Ｄ３の「入力」キーを点灯させる。
【００５２】
なお、前記入力キー押下指示画面Ｄ３には、「暗証番号を入力してください」のメーセッジが表示されるとともに、暗証番号入力領域ＡＲ１及び入力キー領域ＡＲ２が表示される。前記暗証番号入力領域ＡＲ１における「＊」は暗証番号の桁を表す。また、入力キー領域ＡＲ２に、暗証番号Ｎｉを入力するための「０」〜「９」のテンキー、入力に誤りがあったときに訂正を行うための「後退」キー、及び入力を終了するための「入力」キーが表示される。
【００５３】
そして、前記暗証番号設定・編集処理手段は、「入力」キーが押下されたかどうかを判断し、「入力」キーが押下されると、ディスプレイに前記暗証番号設定・編集画面のうちの、図１１に示される暗証番号確認指示画面Ｄ４を形成し、該暗証番号確認指示画面Ｄ４に、前記入力キー押下指示画面Ｄ３の表示に上書きして、指示領域ＡＲ４に「確認のためもう一度入力してください」のメッセージを表示する。
【００５４】
続いて、前記暗証番号設定・編集処理手段は、暗証番号Ｎｉの入力が２回目であるかどうかを判断する。前記メッセージに対して、操作者が暗証番号Ｎｉを再び入力し、「入力」キーを押下すると、暗証番号Ｎｉの入力が２回目になり、前記暗証番号設定・編集処理手段は、１回目及び２回目に入力された暗証番号Ｎｉが一致しているかどうかを判断する。
【００５５】
暗証番号Ｎｉが一致している場合、前記暗証番号設定・編集処理手段は、既に記録されているフラッシュメモリ２４の暗証番号Ｎｆ、及びメモリカード３３の暗証番号Ｎｍを消去し、フラッシュメモリ２４及びメモリカード３３に新しい暗証番号Ｎｉを暗証番号Ｎｆ、Ｎｍとして設定し、記録する。このようにして、暗証番号Ｎｆ、Ｎｍを修正することができる。また、暗証番号Ｎｉが一致しない場合、前記暗証番号設定・編集処理手段は、図１２に示される暗証番号再入力指示画面Ｄ５を形成し、該暗証番号再入力指示画面Ｄ５に、前記入力キー押下指示画面Ｄ３の表示に上書きして、指示領域ＡＲ５に「暗証番号が違います」のメッセージを表示する。
【００５６】
ところで、前記暗証番号Ｎｉの入力が１回目であり、操作者によって暗証番号Ｎｉが入力されない場合、すなわち、入力桁数が０である場合、前記暗証番号設定・編集処理手段は、図１３に示される消去キー押下指示画面Ｄ６を形成し、該消去キー押下指示画面Ｄ６の「消去」キーを点灯させる。
【００５７】
なお、前記消去キー押下指示画面Ｄ６には、「暗証番号を入力してください」のメーセッジが表示されるとともに、暗証番号入力領域ＡＲ１及び入力キー領域ＡＲ６が表示される。前記暗証番号入力領域ＡＲ１における「＊」は暗証番号の桁を表す。また、入力キー領域ＡＲ６に、暗証番号Ｎｉを入力するための「０」〜「９」のテンキー、入力に誤りがあったときに訂正を行うための「後退」キー、及び暗証番号Ｎｆ、Ｎｍを消去するための「消去」キーが表示される。
【００５８】
続いて、前記暗証番号設定・編集処理手段は、「消去」キーが押下されたかどうかを判断し、「消去」キーが押下されると、既に記録されている暗証番号Ｎｆ、Ｎｍを消去する。
【００５９】
次に、フローチャートについて説明する。
ステップＳ４−１  メモリカード装着口３２にメモリカード３３が装着されるのを待機する。
ステップＳ４−２  暗証番号Ｎｉの入力が１回目であるかどうかを判断する。暗証番号Ｎｉの入力が１回目である場合はステップＳ４−３に、１回目でない場合はステップＳ４−４に進む。
ステップＳ４−３  入力桁数が１以上であるかどうかを判断する。入力桁数が１以上である場合はステップＳ４−４に、入力桁数が１より小さい場合はステップＳ４−５に進む。
ステップＳ４−４  「入力」キーが押下されたかどうかを判断する。「入力」キーが押下された場合はステップＳ４−７に進み、入力されていない場合はステップＳ４−２に戻る。
ステップＳ４−５  「消去」キーが押下されたかどうかを判断する。「消去」キーが押下された場合はステップＳ４−６に進み、押下されていない場合はステップＳ４−２に戻る。
ステップＳ４−６  暗証番号Ｎｆ、Ｎｍを消去し、リターンする。
ステップＳ４−７  暗証番号Ｎｉの入力が２回目であるかどうかを判断する。暗証番号Ｎｉの入力が２回目である場合はステップＳ４−８に進み、２回目でない場合はステップＳ４−２に戻る。
ステップＳ４−８  暗証番号Ｎｉが一致しているかどうかを判断する。暗証番号Ｎｉが一致している場合はステップＳ４−９に進み、一致していない場合はステップＳ４−２に戻る。
ステップＳ４−９  暗証番号Ｎｆ、Ｎｍを消去する。
ステップＳ４−１０  メモリカード３３及びフラッシュメモリ２４に暗証番号Ｎｆ、Ｎｍを記録し、リターンする。
【００６０】
本実施の形態においては、フラッシュメモリ２４に一つの暗証番号Ｎｆが記録されるようになっていて、該暗証番号Ｎｆとメモリカード３３に記録された暗証番号Ｎｍとが一致しているかどうか、及び暗証番号Ｎｆと入出力部１５によって入力された暗証番号Ｎｉとが一致しているかどうかを判断するようになっている。
【００６１】
これに対して、フラッシュメモリ２４に複数の暗証番号Ｎｆｊ（ｊ＝１、２、…、ｎ）を記録し、複数の操作者によってナビゲーション装置１１を共有することもできる。そのために、各操作者ごとにメモリカード３３を保有し、各メモリカード３３に各操作者ごとの暗証番号Ｎｍｊ（ｊ＝１、２、…、ｎ）が記録される。また、操作者はメモリカード装着口３２に自分が保有するメモリカード３３を装着しない状態において、暗証番号Ｎｉｊ（ｊ＝１、２、…、ｎ）を入出力部１５を操作することによって入力することができる。
【００６２】
そして、所定の操作者が保有するメモリカード３３の暗証番号ＮｍｊがＮｍ１である場合、前記第１の起動条件成立判断処理手段９１は、メモリカード装着口３２にメモリカード３３が装着された状態において、前記各暗証番号Ｎｆｊのうちの一つと暗証番号Ｎｍ１とが一致しているかどうかによって、第１の起動条件が成立するかどうかを判断する。また、所定の操作者が入出力部１５によって入力した暗証番号ＮｉｊがＮｉ１である場合、第２の起動条件成立判断処理手段９２は、メモリカード装着口３２にメモリカード３３が装着されない状態において、前記各暗証番号Ｎｆｊのうちの一つと暗証番号Ｎｉ１とが一致しているかどうかによって、第２の起動条件が成立するかどうかを判断する。
【００６３】
この場合、複数の操作者によってナビゲーション装置１１を共有しても、前記フラッシュメモリ２４に記録された各操作者ごとの個人情報が容易に読み出されて悪用されることがなくなる。また、複数の操作者によってナビゲーション装置１１を共有しても、ナビゲーション装置１１を新しいものに交換した場合等に、各操作者ごとに各メモリカード３３に記録されたメモリ地点、画面の表示方法等の付加情報を、新たに設定することなく、フラッシュメモリ２４に複写することができる。
【００６４】
そして、フラッシュメモリ２４に、複数の暗証番号Ｎｆｊを記録するとともに、各暗証番号Ｎｆｊに対応させてメモリ地点、画面の表示方法等の付加情報を記録し、複数の操作者によってナビゲーション装置１１を共有することもできる。この場合、フラッシュメモリ２４に各暗証番号Ｎｆｊに対応する付加情報が記録されるので、メモリカード３３に付加情報を記録する必要はない。
【００６５】
そして、各操作者は、メモリカード装着口３２に自分が保有するメモリカード３３を装着し、ナビゲーション装置１１を起動したり、付加情報を使用したりすることができる。また、各操作者は、メモリカード装着口３２に自分が保有するメモリカード３３を装着しない状態において、暗証番号Ｎｉｊを入出力部１５を操作することによって入力し、ナビゲーション装置１１を起動したり、付加情報を使用したりすることができる。
【００６６】
さらに、操作者は、自分が保有する各種の機能を有する複数のメモリカードを順に装着し、ナビゲーション装置１１を起動したり、付加情報をフラッシュメモリ２４に複写したりすることもできる。この場合、例えば、フラッシュメモリ２４に暗証番号Ｎｆが記録されるとともに、所定の付加情報が記録され、第１のメモリカードに暗証番号Ｎｍ−１が記録され、第２のメモリカードに暗証番号Ｎｍ−２及び他の付加情報が記録される。
【００６７】
そして、操作者は、メモリカード装着口３２に第１のメモリカードを装着してナビゲーション装置１１を起動した後、前記第１のメモリカードを抜き取り、続いて、第２のメモリカードを装着し、フラッシュメモリ２４に第２のメモリカードに記録された付加情報を複写する。
【００６８】
なお、メモリカード装着口３２に第１のメモリカードを装着することなく、暗証番号Ｎｉを入力してナビゲーション装置１１を起動した後、第２のメモリカードを装着し、フラッシュメモリ２４に第２のメモリカードに記録された付加情報を複写することもできる。さらに、フラッシュメモリ２４に暗証番号Ｎｆが記録されていない場合、メモリカード装着口３２に第１のメモリカードを装着したり、暗証番号Ｎｉを入力することなく、ナビゲーション装置１１を起動した後、メモリカード装着口３２に第２のメモリカードを装着し、フラッシュメモリ２４に第２のメモリカードに記録された付加情報を複写することもできる。
【００６９】
ところで、第２のメモリカードが盗難にあうと、第２のメモリカードに記録された付加情報が容易に読み出されて悪用されてしまう。そこで、メモリカード装着口３２に第２のメモリカードを装着したときに、暗証番号入力指示画面の表示に「複写元のメモリカードの暗証番号を入力してください」のメッセージを表示し、暗証番号Ｎｍ−２の入力を促すようにすることができる。この場合、暗証番号Ｎｍ−２が正確に入力されない限り、第２のメモリカードに記録された付加情報を複写することができないので、セキュリティ機能を高くすることができる。
【００７０】
なお、本発明は前記実施の形態に限定されるものではなく、本発明の趣旨に基づいて種々変形させることが可能であり、それらを本発明の範囲から排除するものではない。
【００７１】
【発明の効果】
以上詳細に説明したように、第１、第２の起動条件のうちの一方が成立する場合にナビゲーション装置が起動されるようになっているので、外部記録手段が装着されず、しかも、入力情報が正確に入力されない場合、ナビゲーション装置は起動されない。また、外部記録手段が装着されても、第１、第２の識別情報が一致しない場合も、ナビゲーション装置は起動されない。
【００７３】
したがって、前記内部記録手段に記録された個人情報が容易に読み出されて悪用されることがなくなるので、ナビゲーション装置のセキュリティ機能を高くすることができる。
【００７４】
また、入力情報を入力することによってナビゲーション装置を起動することができるので、外部記録手段を破損したり、紛失したりしたときに、外部記録手段を装着することなく、ナビゲーション装置を起動することができる。
【図面の簡単な説明】
【図１】本発明の実施の形態におけるナビゲーション制御装置の機能ブロック図である。
【図２】本発明の実施の形態におけるナビゲーション装置の制御ブロック図である。
【図３】本実施の形態におけるナビゲーション制御装置の動作を示すメインフローチャートである。
【図４】本発明の実施の形態における暗証番号認識処理のサブルーチンを示す図である。
【図５】本発明の実施の形態におけるナビゲーション装置の斜視図である。
【図６】本発明の実施の形態におけるメモリカードの平面図である。
【図７】本発明の実施の形態における暗証番号認識処理の暗証番号入力指示画面を示す図である。
【図８】本発明の実施の形態における暗証番号認識処理の暗証番号再入力指示画面を示す図である。
【図９】本発明の実施の形態における暗証番号設定・編集処理のサブルーチンを示す図である。
【図１０】本発明の実施の形態における暗証番号設定・編集処理の入力キー押下指示画面を示す図である。
【図１１】本発明の実施の形態における暗証番号設定・編集処理の暗証番号確認指示画面を示す図である。
【図１２】本発明の実施の形態における暗証番号設定・編集処理の暗証番号再入力指示画面を示す図である。
【図１３】本発明の実施の形態における暗証番号設定・編集処理の消去キー押下指示画面を示す図である。
【符号の説明】
１１    ナビゲーション装置
１２    ＣＰＵ
１５    入出力部
２４    フラッシュメモリ
３３    メモリカード
９１    第１の起動条件成立判断処理手段
９２    第２の起動条件成立判断処理手段
９３    起動処理手段
【図１】
0004608754.tif 000002
【図２】
0004608754.tif 000003
【図３】
0004608754.tif 000004
【図４】
0004608754.tif 000005
【図５】
0004608754.tif 000006
【図６】
0004608754.tif 000007
【図７】
0004608754.tif 000008
【図８】
0004608754.tif 000009
【図９】
0004608754.tif 000010
【図１０】
0004608754.tif 000011
【図１１】
0004608754.tif 000012
【図１２】
0004608754.tif 000013
【図１３】
0004608754.tif 000014